(57)【要約】【課題】  利用者がコンテンツ情報を得るために手間をかけることがないようにする。【解決手段】  携帯端末１０４の利用者は、興味を持ったコンテンツに応じたキー情報を含むデータをコンテンツ管理サーバ１０５に送信する。コンテンツ管理サーバ１０５は、携帯端末１０４から送信されたデータからキー情報を抽出するとともに、抽出したキー情報に関連するキー情報を生成する。そして、それらのキー情報にもとづいて、コンテンツの保管場所を検索する。また、コンテンツの保管場所を示すコンテンツ情報で、手掛かりサーバ１０７が保管している利用者毎に設けられているメニュー情報のうちのキー情報を送信した利用者のメニュー情報を更新する。【選択図】  図１
2005267577.tif 000002
【特許請求の範囲】
【請求項１】
携帯端末と、携帯端末と通信ネットワークを介して通信可能に接続されるコンテンツ管理サーバとを備え、
前記コンテンツ管理サーバは、前記携帯端末から送信されたデータからキー情報を抽出するとともに、抽出したキー情報に関連するキー情報を生成するキー情報抽出手段と、
前記キー情報抽出手段が抽出したキー情報および生成したキー情報にもとづいてコンテンツの保管場所を検索するコンテンツ検索手段と、
前記コンテンツ検索手段が検索したコンテンツの保管場所を示す情報を、携帯端末の利用者専用に設けられているメニュー情報に追加する配信メニュー作成手段と
を備えたことを特徴とするコンテンツ配信システム。
【請求項２】
それぞれの利用者毎のメニュー情報を格納するメニュー格納手段と、利用者の登録処理を行う利用者登録手段とを備えた
請求項１記載のコンテンツ配信システム。
【請求項３】
利用者がコンテンツを利用するための端末装置であって、携帯端末の表示部よりも大画面の表示部を有する視聴者端末を備えた
請求項１または請求項２記載のコンテンツ配信システム。
【請求項４】
視聴者端末は、コンテンツの保管場所からダウンロードしたコンテンツを記憶する記憶手段を有する
請求項３記載のコンテンツ配信システム。
【請求項５】
携帯端末と通信ネットワークを介して通信可能に接続されるコンテンツ管理サーバであって、
前記携帯端末から送信されたデータからキー情報を抽出するとともに、抽出したキー情報に関連するキー情報を生成するキー情報抽出手段と、
前記キー情報抽出手段が抽出したキー情報および生成したキー情報にもとづいてコンテンツの保管場所を検索するコンテンツ検索手段と、
前記コンテンツ検索手段が検索したコンテンツの保管場所を示す情報を、携帯端末の利用者専用に設けられているメニュー情報に追加する配信メニュー作成手段と
を備えたことを特徴とするコンテンツ管理サーバ。
【請求項６】
キー情報抽出手段は、
文字認識手段および音声認識手段を含み、
携帯端末から送信されたテキスト情報、音声情報または画像情報からキー情報を抽出する
請求項５記載のコンテンツ管理サーバ。
【請求項７】
携帯端末が、通信ネットワークを介してコンテンツ管理サーバにキー情報を送信し、
前記コンテンツ管理サーバが、前記携帯端末から送信されたデータからキー情報を抽出するとともに、抽出したキー情報に関連するキー情報を生成し、
前記コンテンツ管理サーバが、抽出されたキー情報および生成されたキー情報にもとづいてコンテンツの保管場所を検索し、
コンテンツの保管場所を示す情報を含むメニュー情報を携帯端末の利用者専用に作成し、
視聴者端末が、メニュー情報のうちから選択されたコンテンツの保管場所からコンテンツをダウンロードする
ことを特徴とするコンテンツ配信方法。
【発明の詳細な説明】
【技術分野】
【０００１】
本発明は、ネットワークを介して映像情報などのコンテンツを配信するためのコンテンツ配信システム、コンテンツ管理サーバおよびコンテンツ配信方法に関し、特に、コンテンツ利用者の欲求に合致するコンテンツを配信可能にするコンテンツ配信システム、コンテンツ管理サーバおよびコンテンツ配信方法に関する。
【背景技術】
【０００２】
コンテンツとしての映像情報を利用者の好みに合わせて配信するコンテンツ配信システムとして、利用者が関心を持っている番組キーワードを携帯端末からサーバに送信し、サーバが番組キーワードにもとづいて番組を抽出し、抽出した番組の映像情報を利用者に配信するシステムがある（例えば、特許文献１参照。）。
【０００３】
また、携帯端末がインターネットを介してコンテンツをアクセスする際に使用するアクセスメニューを利用者毎に設定するとともに、利用者毎のアクセスメニューを利用者の好みに合わせて自動更新するシステムがある（例えば、特許文献２参照。）。
【０００４】
そのようなシステムによれば、利用者が関心を持っているキーワードをサーバに送信することによって、携帯端末の利用者毎に設けられているアクセスメニューを、それぞれの利用者の嗜好にあったものに更新することができる。
【０００５】
【特許文献１】特開２００３−１７９９０７号公報（段落０００７−００１６、図９）
【特許文献２】特開２００２−３２４０７４号公報（段落００２０−００２６、図４）
【発明の開示】
【発明が解決しようとする課題】
【０００６】
しかし、特許文献１に記載されたシステムでは、あらかじめ用意されている番組データベースから、利用者が送信した番組キーワードにマッチする番組情報を抽出し、抽出した番組情報を利用者に提供し、利用者が提供された番組情報を取捨選択する。すると、利用者の番組キーワードの選択が適切でないと、利用者が欲する番組情報は提供されない。その結果、利用者が再三番組キーワードを送信し直すことになり、利用者が欲する番組を探し当てるのに時間がかかってしまう。また、特許文献１に記載されたシステムは、利用者の番組予約の便を図っているにすぎない。特許文献２に記載されているシステムでは、利用者毎に設けられているアクセスメニューが自動更新されるものの、更新の根拠は利用者の過去のアクセス履歴である。すると、現在の利用者の嗜好に必ずしも合致しないアクセスメニューが作成される可能性がある。
【０００７】
本発明の目的は、利用者の番組予約の便を図るという観点から脱却し、利用者が望むであろうと考えられるコンテンツ情報を、広範囲に収集して、利用者がコンテンツ情報を得るために手間をかけることがないようにすることができるコンテンツ配信システム、コンテンツ管理サーバおよびコンテンツ配信方法を提供することである。
【課題を解決するための手段】
【０００８】
本発明によるコンテンツ配信システムは、コンテンツ管理サーバが、携帯端末から送信されたデータからキー情報を抽出するとともに、抽出したキー情報に関連するキー情報を生成するキー情報抽出手段と、キー情報抽出手段が抽出したキー情報および生成したキー情報にもとづいてコンテンツの保管場所を検索するコンテンツ検索手段と、コンテンツ検索手段が検索したコンテンツの保管場所を示す情報を、携帯端末の利用者専用に設けられているメニュー情報に追加する配信メニュー作成手段とを備えたことを特徴とする。
【０００９】
コンテンツ配信システムは、それぞれの利用者毎のメニュー情報を格納するメニュー格納手段と、利用者の登録処理を行う利用者登録手段とを備えていてもよい。
【００１０】
利用者がコンテンツを利用するための端末装置であって、携帯端末の表示部よりも大画面の表示部を有する視聴者端末を備えていてもよい。
【００１１】
視聴者端末は、コンテンツの保管場所からダウンロードしたコンテンツを記憶する記憶手段を有することが好ましい。
【００１２】
本発明によるコンテンツ管理サーバは、携帯端末と通信ネットワークを介して通信可能に接続されるコンテンツ管理サーバであって、携帯端末から送信されたデータからキー情報を抽出するとともに、抽出したキー情報に関連するキー情報を生成するキー情報抽出手段と、キー情報抽出手段が抽出したキー情報および生成したキー情報にもとづいてコンテンツの保管場所を検索するコンテンツ検索手段と、コンテンツ検索手段が検索したコンテンツの保管場所を示す情報を、携帯端末の利用者専用に設けられているメニュー情報に追加する配信メニュー作成手段とを備えたことを特徴とする。
【００１３】
キー情報抽出手段が、文字認識手段および音声認識手段を含み、携帯端末から送信されたテキスト情報、音声情報または画像情報からキー情報を抽出するように構成されていてもよい。
【００１４】
本発明によるコンテンツ配信方法は、携帯端末が、通信ネットワークを介してコンテンツ管理サーバにキー情報を送信し、コンテンツ管理サーバが、携帯端末から送信されたデータからキー情報を抽出するとともに、抽出したキー情報に関連するキー情報を生成し、コンテンツ管理サーバが、抽出されたキー情報および生成されたキー情報にもとづいてコンテンツの保管場所を検索し、コンテンツの保管場所を示す情報を含むメニュー情報を携帯端末の利用者専用に作成し、視聴者端末が、メニュー情報のうちから選択されたコンテンツの保管場所からコンテンツをダウンロードすることを特徴とする。
【発明の効果】
【００１５】
本発明によれば、利用者がコンテンツ情報を得るために手間をかけることがないようにすることができる効果がある。
【発明を実施するための最良の形態】
【００１６】
以下、本発明の実施の形態を図面を参照して説明する。図１は、本発明によるコンテンツ配信システムの構成例を示すシステム構成図である。図１に示すシステムでは、視聴者端末１０６が、インターネットなどの通信ネットワーク（以下、ネットワークという。）１０１を介して多数のコンテンツ配信サーバ１０８，１０９をアクセス可能である。視聴者端末１０６は、例えば、パーソナルコンピュータやインターネットアクセス機能を有するテレビジョン受像機であり、携帯端末１０４と比較すると、大画面の表示を有している。また、視聴者端末１０６は、ダウンロードしたコンテンツを記憶させるためのハードディスクなどの大容量記憶装置を備えていることが好ましい。
【００１７】
携帯電話機などの携帯端末１０４は、基地局１０３およびゲートウェイ１０２を介してネットワーク１０１に接続される。また、コンテンツ管理サーバ１０５と手掛かりサーバ１０７がネットワーク１０１に接続される。コンテンツ管理サーバ１０５は、携帯端末１０４からキー情報が通知されると、キー情報をもとに関連するコンテンツを検索し、コンテンツ情報（例えばＵＲＬ）を含むメニュー情報を作成し、手掛かりサーバ１０７に送信する。手掛かりサーバ１０７は、メニュー情報を保管する。なお、メニュー情報は、利用者毎に作成される。また、コンテンツ管理サーバ１０５と手掛かりサーバ１０７とを１つのサーバ装置で実現してもよい。また、図１には、１つの携帯端末１０４および２つのコンテンツ配信サーバ１０８，１０９が示されているが、それらはいくつあってもよい。
【００１８】
図２は、携帯端末１０４の構成例を示すブロック図である。ここでは、携帯端末１０４として携帯電話機を想定する。図２に示す例では、携帯端末１０４は、装置全体の制御を行う制御部２０１、プログラムやデータを記憶する記憶部２０２、小型ＬＣＤなどの表示部２０３、アンテナ２０５を介して基地局１０３と通信を行う無線部２０４、撮像機能を有するカメラ部２０６、テンキーおよびファンクションキーからなる操作部２０７、アナログ音声信号と音声データの変換を行う送受話部２０８、送受話部２０８に接続されるスピーカ２０９およびマイクロフォン２１０を含む。
【００１９】
図３は、コンテンツ管理サーバ１０５の構成例を示すブロック図である。図３に示す例では、コンテンツ管理サーバ１０５は、ネットワーク１０１を介して他の装置と通信を行う通信部１０５０、携帯端末１０４から送信されたデータからキー情報を抽出するとともに関連するキー情報を生成するキー情報抽出部１０５１、キー情報抽出部１０５１が抽出したキー情報および生成したキー情報に合致するコンテンツを保有するコンテンツ配信サーバを探し、コンテンツの保管場所（ＵＲＬなどのコンテンツ情報に相当）を特定するコンテンツ検索部１０５２、および、新たに特定したコンテンツ情報を手掛かりサーバ１０７に保管されているメニュー情報に追加する処理を行う配信メニュー作成部１０５３を含む。
【００２０】
キー情報抽出部１０５１は、画像からテキスト情報を認識する文字認識部、および音声信号をテキスト情報に変換する音声認識部を含む。また、キー情報抽出部１０５１は、抽出したキー情報にもとづいて、関連するキー情報を生成するキー情報生成部を含む。キー情報抽出部１０５１は、抽出したキー情報と生成したキー情報とを配信メニュー作成部１０５３に出力する。
【００２１】
図４は、手掛かりサーバ１０７の構成例を示すブロック図である。図４に示す例では、手掛かりサーバ１０７は、ネットワーク１０１を介して他の装置と通信を行う通信部１０７０、利用者毎に設けられているメニュー格納部１０７２、利用者の登録やメニュー格納部１０７２の生成を行う登録者管理部１０７１を含む。メニュー格納部１０７２には、メニュー情報が保管される。
【００２２】
次に、図５および図６のフローチャートを参照してコンテンツ配信システムの動作を説明する。利用者は、あらかじめ、手掛かりサーバ１０７をアクセスして登録処理を行う。登録処理の方法として、例えば、手掛かりサーバ１０７が登録処理用のＷｅｂページを用意しておく方法がある。すなわち、利用者は、携帯端末１０４を操作して登録処理用のＷｅｂページをダウンロードする。登録処理用のＷｅｂページは、表示部２０３に表示される。利用者は、表示されている画面において必要事項（氏名や電子メールアドレスなど）を記入し、手掛かりサーバ１０７に送信する。
【００２３】
手掛かりサーバ１０７において、登録者管理部１０７１は、携帯端末１０４から送信された情報を登録するとともに、携帯端末１０４の利用者に対応したメニュー格納部１０７２を記憶装置に確保する。以上のようにして、携帯端末１０４の利用者を登録するための処理が完了する（ステップＳ１）。
【００２４】
利用者は、携帯端末１０４を携帯して行動しているときに、視聴を望むコンテンツを思い出したり、視聴を望むコンテンツに関連する情報を見つけたりしたときに、そのコンテンツに関連する情報をキー情報としてコンテンツ管理サーバ１０５に送信する（ステップＳ２，Ｓ３）。送信の仕方として、以下のようなものがある。
【００２５】
例えば、利用者は、電子メールとしてテキスト情報のキー情報をコンテンツ管理サーバ１０５に送信する。その場合、コンテンツ管理サーバ１０５におけるキー情報抽出部１０５１は、電子メールの本文の内容をキー情報として認識する。また、コンテンツ管理サーバ１０５が、キー情報入力用のＷｅｂページを用意してもよい。その場合、利用者は、携帯端末１０４によってキー情報入力用のＷｅｂページをダウンロードする。キー情報入力用のＷｅｂページは、表示部２０３に表示される。利用者は、表示されている画面においてキー情報を入力し、コンテンツ管理サーバ１０５に送信する。
【００２６】
また、利用者は、音声によってキー情報をコンテンツ管理サーバ１０５に送信してもよい。その場合、携帯端末１０４は、携帯電話網を介してコンテンツ管理サーバ１０５と呼を確立し、例えば、コンテンツ管理サーバ１０５からの音声ガイダンスに従って、音声によってキー情報をコンテンツ管理サーバ１０５に入力する。その場合、コンテンツ管理サーバ１０５におけるキー情報抽出部１０５１は、音声認識処理を行って、音声信号をテキスト情報（キー情報）に変換する。
【００２７】
また、利用者は、画像によってキー情報をコンテンツ管理サーバ１０５に送信してもよい。その場合、利用者は、まず、携帯端末１０４を操作して、コンテンツに関連する情報を含む画像を撮像する。そして、例えば、電子メールの添付ファイルとして画像をコンテンツ管理サーバ１０５に送信する。コンテンツ管理サーバ１０５におけるキー情報抽出部１０５１は、送信されてきた画像に対して文字認識処理を行ってテキスト情報（キー情報）を抽出する。
【００２８】
なお、テキスト情報のキー情報をコンテンツ管理サーバ１０５に送信する場合と同様に、Ｗｅｂページを介して画像をコンテンツ管理サーバ１０５に送信するようにしてもよい。また、ここでは、コンテンツ管理サーバ１０５において、画像からテキスト情報が抽出されるが、画像をそのままキー情報としてもよい。さらに、静止画像だけでなく、動画像をキー情報としてもよい。また、利用者は、例えば、街中に存在する看板や広告などを、コンテンツに関連する情報を含む画像として撮像する。
【００２９】
コンテンツ管理サーバ１０５におけるキー情報抽出部１０５１は、携帯端末１０４からキー情報を含むデータが送られてきた場合に（ステップＳ１１）、データからキー情報を抽出するとともに、抽出したキー情報にもとづいて、関連するキー情報を生成する（ステップＳ１２）。そして、抽出したキー情報と生成したキー情報とを配信メニュー作成部１０５３に出力する。なお、キー情報抽出部１０５１は、関連するキー情報を生成できなかった場合には、抽出したキー情報のみを配信メニュー作成部１０５３に出力する。
【００３０】
配信メニュー作成部１０５３は、入力した１つまたは複数のキー情報を検索キーとしてコンテンツを保有するコンテンツ配信サーバを探し、コンテンツの保管場所（ＵＲＬなどのコンテンツ情報に相当）を特定する（ステップＳ１３）。ここでは、ＵＲＬが特定される場合を例にする。また、配信メニュー作成部１０５３は、例えば、既存の情報検索サーバが提供する検索サービスを利用して、コンテンツの保管場所を知ることができる。そして、得られたＵＲＬを、手掛かりサーバ１０７が保管している利用者のメニュー情報に追加する（ステップＳ１４）。
【００３１】
キー情報抽出部１０５１が生成するキー情報として、例えば携帯端末１０４から送られてきたキー情報がタレント名であった場合に、そのタレントが属するグループ名やプロダクション会社名などがある。また、コンテンツとしてタレントが出演している映画などの映像情報がある。この実施の形態では、携帯端末１０４から送られてきたキー情報に関連するキー情報も作成されるので、配信メニュー作成部１０５３は、例えば、タレント名は紹介されていないが、そのタレントが属するグループが紹介されているコンテンツ情報も抽出することができ、より利用者の欲求に合致するメニュー情報が作成されることが期待できる。なお、タレント名と、グループ名やプロダクション会社名などとの対応関係は、あらかじめ、キー情報抽出部１０５１に、データベースとして保存されている。
【００３２】
図７は、メニュー情報の一例を示す説明図である。図７に示す例では、利用者が、キー情報として「ＡＡＡ」をコンテンツ管理サーバ１０５に送信したことが示されている。そして、配信メニュー作成部１０５３が、２つのコンテンツ情報を見いだしたことが示されている。また、キー情報「ＡＡＡ」に合致する映像情報ではないが、キー情報「ＡＡＡ」を含む記事などが掲載されているＷｅｂページを見いだし、メニュー情報に追加したことが示されている。なお、配信日時は、特定の日時に配信がなされるコンテンツについて付記される。また、通知場所とは、利用者が、キー情報を送信した場所である。例えば、コンテンツ管理サーバ１０５が地図データベースを備え、携帯端末１０４がＧＰＳ受信機を内蔵している場合にＧＰＳ受信機の受信信号にもとづいて特定される緯度および経度の情報をコンテンツ管理サーバ１０５に送信し、コンテンツ管理サーバ１０５が、受信した緯度および経度の情報にもとづいて地図データベースを検索することによって、通知場所を知ることができる。
【００３３】
利用者は、例えば自宅にある視聴者端末１０６から手掛かりサーバ１０７をアクセスし、自身のために設けられているメニュー情報をダウンロードする。メニュー情報は、視聴者端末１０６の表示部に表示される。そして、メニュー情報を見て（ステップＳ５）、メニュー情報に表示されているコンテンツの保管場所をアクセスしてコンテンツをダウンロードして視聴する（ステップＳ６）。
【００３４】
以上に説明したように、この実施の形態では、コンテンツ管理サーバ１０５は、利用者それぞれに応じて、利用者の好みにあったメニュー情報を作成できる。その際、利用者は、単に、キー情報をコンテンツ管理サーバ１０５に送信するだけでよい。例えば、利用者は、外出先で視聴したいコンテンツに関するキー情報を見つけた場合に、携帯している携帯端末１０４の表示部を用いてコンテンツを視聴することが難しい（画面が小さいなどの理由による）と考えるときなどに、キー情報をメモする感覚で、キー情報をコンテンツ管理サーバ１０５に送信すればよい。そして、帰宅した後、メニュー情報を確認することによって、キー情報に応じたコンテンツを、視聴者端末１０６で利用することができる。従って、帰宅までにキー情報を忘れてしまったような場合でも、利用者はコンテンツを利用することができる。
【００３５】
制御部（ＣＰＵ）とプログラム記憶部とを含む視聴者端末１０６に、定期的に手掛かりサーバ１０７をアクセスしてメニュー情報を確認するためのアプリケーションプログラムを搭載してもよい。そして、そのアプリケーションプログラムが、さらに、メニュー情報に新規情報が追加されたことを検出したときには、新規情報が示すＵＲＬからコンテンツをダウンロードして、記憶装置に記憶するように構成されていてもよい。ここで、新規情報に配信日時の情報が含まれる場合には、配信日時にダウンロードを実行する。そのように構成されている場合には、利用者は、帰宅したときに、視聴者端末１０６の記憶装置に記憶されているコンテンツを直ちに視聴することができるようになる。よって、利用者がコンテンツを探す時間が短縮された上に、実際にコンテンツを視聴するまでの時間も短縮される。
【００３６】
なお、本発明によるシステムが扱いうるコンテンツは映像情報に限られない。例えば、コンテンツがＷｅｂページであってもよい。その場合には、利用者が、外出中にキー情報を見つけた場合に、自宅の大画面によって、キー情報に対応する詳細な情報を得ることができる。また、携帯端末１０４から送信されたデータから抽出されるキー情報に関連するキー情報は、人的な情報（上記の例では、所属グループや所属会社）に限られない。例えば、キー情報に関連する場所やキー情報に関連するジャンルなど、種々の変形例が考えられる。
【００３７】
また、利用者は、有料のコンテンツをダウンロードした場合に、料金を、コンテンツ管理サーバ１０５の運営者に一括して支払うようにしてもよい。そして、コンテンツ管理サーバ１０５の運営者は、利用者から徴収した料金から、コンテンツを提供したコンテンツ配信サーバの運営者にコンテンツ料金を支払うだけでなく、メニュー情報に掲載したコンテンツ情報を提供した（コンテンツそのものを提供しなかった）コンテンツ配信サーバの運営者にも、所定の料金を支払うようにしてもよい。
【実施例】
【００３８】
図８は、キー情報抽出部１０５１に保存されているキー情報の対応関係の一例を示す説明図である。図８に示す例では、タレント名と、そのタレントが属するグループ名と、プロダクション会社名が対応付けられている。例えば、利用者が、携帯端末１０４からキー情報として「矢〇  〇〇」を入力した場合には、キー情報抽出部１０５１は、「・・・・娘」および「△△△△」をキー情報として生成する。そして、３つのキー情報について、コンテンツ（この例では映像情報であるとする。）を配信するコンテンツ配信サーバと、具体的なコンテンツ保管場所（ＵＲＬ）とを検索する。また、３つのキーワードに合致するＷｅｂページがあれば、それも抽出する。そして、それらのＵＲＬを、キー情報を送信した利用者のメニュー情報に追加する。
【００３９】
従って、この実施例では、メニュー情報として、利用者がキー情報によって伝えた好みに応じた番組メニューが作成されたことになる。
【産業上の利用可能性】
【００４０】
本発明は、携帯端末および視聴者端末の利用者が、自分が興味を持つコンテンツを視聴者端末で利用する場合に有意義であり、利用者が、興味を持つコンテンツを得るまでの時間を短縮することができるシステムを構築できる。
【図面の簡単な説明】
【００４１】
【図１】本発明によるコンテンツ配信システムの構成例を示すシステム構成図である。
【図２】携帯端末の構成例を示すブロック図である。
【図３】コンテンツ管理サーバの構成例を示すブロック図である。
【図４】手掛かりサーバの構成例を示すブロック図である。
【図５】コンテンツ配信システムの動作を示すフローチャートである。
【図６】コンテンツ配信システムの動作を示すフローチャートである。
【図７】メニュー情報の一例を示す説明図である。
【図８】キー情報の対応関係の一例を示す説明図である。
【符号の説明】
【００４２】
１０１  ネットワーク
１０２  ゲートウェイ
１０３  基地局
１０４  携帯端末
１０５  コンテンツ管理サーバ
１０６  視聴者端末
１０７  手掛かりサーバ
１０８，１０９  コンテンツ配信サーバ
【図１】
2005267577.tif 000003
【図２】
2005267577.tif 000004
【図３】
2005267577.tif 000005
【図４】
2005267577.tif 000006
【図５】
2005267577.tif 000007
【図６】
2005267577.tif 000008
【図７】
2005267577.tif 000009
【図８】
2005267577.tif 000010